(57)【特許請求の範囲】
【請求項１】
遊技場への設置に際して用いられる外枠と、
左右いずれか一方の側部が開閉基端となるようにして前記外枠に開閉可能に支持された遊技機本体と、
当該遊技機本体と前記外枠の下枠部との間に設けられたスピーカユニットと、
を備えており、
前記スピーカユニットは、
その前面を前記下枠部側に向けて設置されたスピーカと、
当該スピーカの収容領域を形成するスピーカ筐体と、
を備えており、
前記下枠部には、前記スピーカの前面側から出力された音を遊技機前方へ導く音導出部が形成されており、
前記スピーカ筐体は、
取付対象に対して上方から取り付けられて前記収容領域の少なくとも上壁部を構成し、取付対象から離脱された場合には前記スピーカが露出されるようにし、前記遊技機本体を前記外枠に閉鎖した状態では直接的又は間接的に前記遊技機本体を下方から支持する筐体部材と、
前記スピーカを下方から支え、前記スピーカの前面側から出力された音を前記音導出部に導く貫通孔が形成された底板部と、
前記スピーカユニットの前記外枠への設置に際して、当該外枠との当接により前記音導出部と前記貫通孔とが連通する位置に前記スピーカユニットを位置決めする位置決め構造と、
前記スピーカの背面側から出力された音を前記スピーカ筐体の前面部に形成された音出口部に導く音通路領域と、
を備えていることを特徴とする遊技機。
【発明の詳細な説明】
【技術分野】
【０００１】
本発明は、遊技機に関するものである。
【背景技術】
【０００２】
遊技機の一種であるパチンコ機はスピーカを備えており、遊技状態に応じて多様な音をスピーカから出力することにより遊技への注目度が高められている。このようにスピーカを備えたパチンコ機において例えば特許文献１には、遊技機本体と外枠の下枠部との間にスピーカを設置した構成が開示されている。ここで、外枠の下部領域は幕板などが設置される幕板領域となっており、当該幕板領域は遊技ホールにおける多数のパチンコ機において共通して設けられている。したがって、上記のようにスピーカを設けることで、幕板領域を有効活用することができる。
【先行技術文献】
【特許文献】
【０００３】
【特許文献１】特開２００３−１３５６９０号公報
【発明の概要】
【発明が解決しようとする課題】
【０００４】
ここで、上記のように外枠の下部領域にスピーカを設置する上で構成の好適化を図る必要があり、この点について未だ改良の余地がある。
【０００５】
なお、以上の問題はパチンコ機に限らず、外枠と遊技機本体とスピーカとを備えた他の遊技機においても該当する問題である。
【０００６】
本発明は、上記例示した事情等に鑑みなされたものであり、外枠の下部領域にスピーカを設置する上で構成の好適化を図ることが可能な遊技機を提供することを目的とするものである。
【課題を解決するための手段】
【０００７】
上記課題を解決すべく請求項１記載の発明は、遊技場への設置に際して用いられる外枠と、
左右いずれか一方の側部が開閉基端となるようにして前記外枠に開閉可能に支持された遊技機本体と、
当該遊技機本体と前記外枠の下枠部との間に設けられたスピーカユニットと、
を備えており、
前記スピーカユニットは、
その前面を前記下枠部側に向けて設置されたスピーカと、
当該スピーカの収容領域を形成するスピーカ筐体と、
を備えており、
前記下枠部には、前記スピーカの前面側から出力された音を遊技機前方へ導く音導出部が形成されており、
前記スピーカ筐体は、
取付対象に対して上方から取り付けられて前記収容領域の少なくとも上壁部を構成し、取付対象から離脱された場合には前記スピーカが露出されるようにし、前記遊技機本体を前記外枠に閉鎖した状態では直接的又は間接的に前記遊技機本体を下方から支持する筐体部材と、
前記スピーカを下方から支え、前記スピーカの前面側から出力された音を前記音導出部に導く貫通孔が形成された底板部と、
前記スピーカユニットの前記外枠への設置に際して、当該外枠との当接により前記音導出部と前記貫通孔とが連通する位置に前記スピーカユニットを位置決めする位置決め構造と、
前記スピーカの背面側から出力された音を前記スピーカ筐体の前面部に形成された音出口部に導く音通路領域と、
を備えていることを特徴とする。
【発明の効果】
【０００８】
本発明によれば、外枠の下部領域にスピーカを設置する上で構成の好適化を図ることが可能となる。
【図面の簡単な説明】
【０００９】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】外枠の構成を示す斜視図である。
【図６】前扉枠の構成を示す背面図である。
【図７】本体枠の構成を示す正面図である。
【図８】遊技盤の構成を示す正面図である。
【図９】本体枠の構成を示す背面図である。
【図１０】遊技盤の背面構成を示す斜視図である。
【図１１】遊技盤から主制御装置ユニットを取り外した状態を示す背面図である。
【図１２】主制御装置ユニットの構成を示す斜視図である。
【図１３】裏パックユニットの構成を示す正面図である。
【図１４】裏パックユニットの分解斜視図である。
【図１５】外枠の分解斜視図である。
【図１６】スピーカユニットの構成を示す斜視図である。
【図１７】スピーカユニットの分解斜視図である。
【図１８】スピーカユニット及びその周辺の縦断面図である。
【図１９】スピーカユニット及びその周辺の横断面図である。
【図２０】パチンコ機の電気的構成を示すブロック図である。
【図２１】別のスピーカユニットの構成を説明するための説明図である。
【図２２】別のスピーカユニットの構成を説明するための説明図である。
【発明を実施するための形態】
【００１０】
はじめに、本実施の形態から抽出され得る発明群を、必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．遊技場への設置に際して用いられる外枠（外枠１１）と、
左右いずれか一方の側部が開閉基端となるようにして前記外枠に開閉可能に支持された遊技機本体（遊技機主部１２）と、
当該遊技機本体と前記外枠の下枠部（下枠部１１ａ）との間に設けられたスピーカユニット（スピーカユニット２５０）と、
を備えており、
前記スピーカユニットは、スピーカ（スピーカ２５２）と、当該スピーカの収容領域を形成するスピーカ筐体（スピーカ筐体２５１）と、を備えており、
当該スピーカ筐体は、取付対象（ベース体２５３）に対して上方から取り付けられて前記収容領域の少なくとも上壁部を構成する筐体部材（上蓋体２５４）を備えており、当該筐体部材を取付対象から離脱させることで前記スピーカが露出され、
前記遊技機本体を前記外枠に閉鎖した状態では前記筐体部材が直接的又は間接的に前記遊技機本体を下方から支持することを特徴とする遊技機。
【００１２】
手段１の遊技機では、遊技機本体と外枠の下枠部との間の領域を有効活用してスピーカユニットが設けられている。
【００１３】
当該構成において、スピーカはスピーカ筐体により形成された収容領域内に収容されているため、スピーカの破損などを防止することができる。また、スピーカ筐体の筐体部材を取付対象から離脱させることでスピーカが露出することとなるため、スピーカのメンテナンスを比較的容易に行うことができる。
【００１４】
さらに、遊技機本体を外枠に閉鎖した状態では当該遊技機本体の重量により筐体部材が下方に押圧される。これにより、筐体部材が取付対象に対して密接され、収容領域の密閉性が高められる。よって、スピーカ筐体のエンクロージャとしての機能が高められ、スピーカユニットから出力される音の高音質化が図られる。
【００１５】
なお、「取付対象」には、スピーカ筐体が筐体部材を下方から支持する部材を備えた構成においてはその下方から支持する部材が含まれ、筐体部材と下枠部とにより収容領域が形成される構成においては下枠部が含まれる。
【００１６】
また、「前記筐体部材が直接的又は間接的に前記遊技機本体を下方から支持する」には、筐体部材上に遊技機本体が直接載る構成だけでなく、筐体部材の上面に設けられた部材に遊技機本体が載る構成も含まれる。この点、「前記筐体部材が直接的に又は間接的に前記遊技機本体を下方から支持する」という構成に代えて、「前記遊技機本体が直接的又は間接的に前記筐体部材上に載る」という構成としてもよい。
【００１７】
手段２．手段１において、前記スピーカ筐体は前記取付対象として、前記スピーカを下方から支持し且つ前記筐体部材が上方から組み付けられることで当該筐体部材とともに前記収容領域を形成する下側筐体部材（ベース体２５３）を備えていることを特徴とする遊技機。
【００１８】
手段２によれば、スピーカユニットを外枠に対して設置することでスピーカの設置が完了することとなる。
【００１９】
手段３．手段２において、前記下側筐体部材は少なくとも上方に開放されたベース体（ベース体２５３）であり、前記筐体部材は前記ベース体の上端面に上方から当接することで当該ベース体の上面開放部を塞ぐ上蓋体（上蓋体２５４）であることを特徴とする遊技機。
【００２０】
手段３によれば、スピーカを露出させる際には、スピーカ筐体に関して上蓋体とベース体とのうち体格が小さい上蓋体をベース体から離間させればよい。これにより、スピーカの露出を比較的容易に行うことができ、スピーカのメンテナンスの作業性が高められる。
【００２１】
手段４．手段１乃至３のいずれかにおいて、前記スピーカは、前記収容領域内において前記遊技機本体の開閉先端側に偏倚させた位置に配置されていることを特徴とする遊技機。
【００２２】
手段４によれば、スピーカのメンテナンスに際しては、外枠に対して遊技機本体を開放させ筐体部材を取付対象から離脱させることにより、遊技機本体の開閉先端側に偏倚した位置にてスピーカが露出することとなる。これにより、メンテナンスを行う作業者にとっては、遊技機本体の開閉基端側に偏倚した位置にスピーカを設置した構成に比して、近い位置にてスピーカのメンテナンスを行うことができる。よって、当該メンテナンスの作業性の向上が図られる。
【００２３】
手段５．手段１乃至４のいずれかにおいて、前記筐体部材は合成樹脂により形成されているとともに、当該筐体部材の上面には支持用金具（金属板２７５）が設けられており、
前記遊技機本体を前記外枠に閉鎖した状態では、前記筐体部材と前記遊技機本体の下端部との間に前記支持用金具が介在していることを特徴とする遊技機。
【００２４】
手段５によれば、支持用金具が設けられていることにより、合成樹脂製の筐体部材が遊技機本体の重量を直接受けるのではなく間接的に受けることとなり、遊技機本体の重量を受ける上で筐体部材において破損が発生してしまうことが抑制される。
【００２５】
手段６．手段１乃至５のいずれかにおいて、前記外枠は、少なくともその下側隅部に、前記遊技機本体を開閉可能に支持する支持部（下側支持用金具１８）を備えており、
前記スピーカユニットは、前記支持部の領域を除いた領域に設けられていることを特徴とする遊技機。
【００２６】
手段６によれば、外枠に対して遊技機本体を開閉する際にはその重量が支持部にかかることとなる。この場合に、スピーカユニットは支持部の領域を除いた領域に設けられているため、遊技機本体の開閉に際して支持部に掛かった重量がスピーカユニットに掛かることはない。よって、遊技機本体の開閉に際してスピーカユニットが破損してしまうことが防止される。
【００２７】
手段７．手段１乃至６のいずれかにおいて、前記スピーカ筐体は、前面部に音出口部（音出口２６６）を有しているとともに、内部に前記スピーカの背面側から出力された音を前記音出口部に導く音通路領域（スピーカ筐体２５１の内部領域）を有していることを特徴とする遊技機。
【００２８】
手段７によれば、スピーカの前面側からだけでなく、スピーカの背面側から出力された音も遊技機前方に向けて伝搬することとなる。また、スピーカの背面側から出力された音は音通路領域を伝搬するため、音出口部から低音域の量感を増した音を出力することが可能となる。よって、スピーカから出力された音の高音質化が図られる。
【００２９】
手段８．手段７において、前記スピーカ筐体は、前記下枠部に沿って左右方向に延びており、
前記スピーカを前記スピーカ筐体における左右方向の一方の端部に設置するとともに、前記音出口部を前記スピーカ筐体における左右方向の他方の端部に形成したことを特徴とする遊技機。
【００３０】
手段８によれば、音通路領域の長さ寸法を大きく確保することが可能となり、低音域の音の増強を図ることが可能となる。よって、スピーカから出力された音の高音質化が図られる。
【００３１】
手段９．手段１乃至８のいずれかにおいて、前記スピーカは、その前面を前記下枠部側に向けて設置されているとともに、
当該下枠部には、前記スピーカの前面側から出力された音を遊技機前方へ導く音導出部（音導出部２７１）が形成されていることを特徴とする遊技機。
【００３２】
手段９によれば、スピーカは、その前面を下枠部側に向けて設置されている。遊技機本体と下枠部との間の領域において上下方向寸法は遊技機本体と下枠部とにより規定されているが、前後方向寸法はこれらにより規定されていない。したがって、上記のようにスピーカを遊技機下向きに設置することで、遊技機前向きに設置する構成に比して、スピーカの口径の大型化を図ることができ、スピーカから出力される音の高音質化を図ることができる。また、遊技機本体の大型化が図られた構成であっても、スピーカの口径の大型化を図ることができる。
【００３３】
また、下枠部には、音導出部が形成されている。したがって、上記のようにスピーカを遊技機下向けに設置した構成において、スピーカの前面側から出力された音は音導出部により導出されて遊技機前方に向けて伝搬することとなり、その音を遊技者に視聴させることができる。
【００３４】
手段１０．手段９において、前記音導出部は、前記下枠部の上面における前記スピーカの下方位置から前記下枠部の前面に連通し且つ少なくとも左右及び後側が閉塞された形状をなしていることを特徴とする遊技機。
【００３５】
手段１０によれば、スピーカの前面側から出力された音を遊技機前方に向けて伝搬させることができるとともに、音導出部の少なくとも左右及び後側が閉塞されていることで当該音導出部における音の漏れが低減されスピーカの前面側から出力された音を効率良く遊技機前方に導くことができる。
【００３６】
手段１１．手段１０において、前記音導出部は、前記下枠部の底面において下方に向けて開放され且つ遊技場における遊技機の設置台（設置台Ｓ）により閉塞される下側開放部を備えていることを特徴とする遊技機。
【００３７】
手段１１によれば、音導出部は下枠部において上面、前面及び底面にて開放されるように形成されるものであり、上面及び前面のみ開放されるように形成する構成に比して、形成作業の容易化が図られる。また、当該構成において、下側開放部は遊技場における遊技機の設置台により閉塞されるため、スピーカの前面側から出力された音を効率良く遊技機前方に導くことができる。
【００３８】
手段１２．手段９乃至１１のいずれかにおいて、前記スピーカ筐体は、
前記スピーカを下方から支えるとともに、前記スピーカの前面側から出力された音を前記音導出部に導く貫通孔（貫通孔２６４）が形成された底板部（底板部２６２）と、
前記スピーカユニットの前記外枠への設置に際して、当該外枠との当接により前記音導出部と前記貫通孔とが連通する位置に前記スピーカユニットを位置決めする位置決め構造（延長領域２７０等）と、
を備えていることを特徴とする遊技機。
【００３９】
手段１２によれば、スピーカユニットはスピーカを下方から支える底板部を備えているため、外枠に対してスピーカユニットを設置することでスピーカの設置が完了する。この場合に、スピーカ筐体には位置決め構造が設けられているため、位置決め構造により位置決めされる位置にスピーカユニットを設置することで底板部の貫通孔と下枠部の音導出部とが自ずと連通する。これにより、設置作業の作業性が向上する。
【００４０】
手段１３．手段１乃至１２のいずれかにおいて、前記スピーカとは別のスピーカ（スピーカ２８）を前記遊技機本体に備えており、
前記スピーカユニット側のスピーカは、前記遊技機本体側のスピーカと共通のスピーカであることを特徴とする遊技機。
【００４１】
手段１３によれば、複数のスピーカを備えた構成においてそれらスピーカの共通化が図られる。よって、部材管理を好適に行うことができる。
【００４２】
手段１４．手段１乃至１３のいずれかにおいて、前記遊技機本体は、遊技を実行する遊技装置と、当該遊技装置における遊技結果に基づいて遊技媒体を払い出す払出装置と、当該払出装置から払い出された遊技媒体を貯留する貯留皿と、を備えていることを特徴とする遊技機。
【００４３】
本発明は、遊技機本体に、遊技装置、払出装置及び貯留皿を備えた遊技機に適用することができる。
【００４４】
なお、上記各手段は、以下の課題を解決することが可能である。
【００４５】
遊技機の一種であるパチンコ機はスピーカを備えており、遊技状態に応じて多様な音をスピーカから出力することにより遊技への注目度が高められている。このようにスピーカを備えたパチンコ機において例えば特許文献１（特開２００３−１３５６９０号公報）には、遊技機本体と外枠の下枠部との間にスピーカを設置した構成が開示されている。ここで、外枠の下部領域は幕板などが設置される幕板領域となっており、当該幕板領域は遊技ホールにおける多数のパチンコ機において共通して設けられている。したがって、上記のようにスピーカを設けることで、幕板領域を有効活用することができる。
【００４６】
ここで、遊技場などにおいて遊技者は飲食などをしながら遊技を行うことがあり、上記のようにスピーカを幕板領域に設けた構成においては、遊技者が誤って零した飲み物などがそのスピーカにかかってしまうおそれがある。したがって、スピーカのメンテナンス性が高められていることが好ましい。
【００４７】
その一方、スピーカから出力される音の高音質化を図ることで、遊技への注目度をより高められると考えられる。しかしながら、上記特許文献１に開示された構成では、幕板の後方にスピーカを設置したのみであり、スピーカから出力される音の高音質化が図られているとは言えない。
【００４８】
なお、以上の問題はパチンコ機に限らず、外枠と遊技機本体とスピーカとを備えた他の遊技機においても該当する問題である。
【００４９】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図、図５はパチンコ機１０の外枠１１の斜視図である。なお、図２では便宜上パチンコ機１０の遊技領域内の構成を省略している。
【００５０】
パチンコ機１０は、当該パチンコ機１０の外殻を形成する外枠１１と、この外枠１１に対して前方に回動可能（開閉可能）に取り付けられた遊技機主部（遊技機本体）１２とを有している。
【００５１】
外枠１１は、木製の板材を四辺に連結し構成されるものであって矩形枠状をなしている。この場合、外枠１１の下枠部１１ａの板幅は、左右の枠部１１ｂ，１１ｃの板幅に比べ大きくなっており、下枠部１１ａは左右の枠部１１ｂ，１１ｃよりもパチンコ機１０前方に延出している。パチンコ機１０は、外枠１１を島設備に取り付け固定することにより、遊技ホールに設置される。なお、外枠１１を合成樹脂やアルミニウム等の金属によって形成することも可能である。
【００５２】
外枠１１の一側部に遊技機主部１２が開閉可能に支持されている。具体的には、図５に示すように、外枠１１における上枠部１１ｄと左枠部１１ｂとの連結部分に上側支持用金具１７が固定されており、さらに外枠１１における下枠部１１ａと左枠部１１ｂとの連結部分に下側支持用金具１８が固定されている。これら上側支持用金具１７及び下側支持用金具１８により支持機構が構成され、当該支持機構によって外枠１１に対して遊技機主部１２が回動可能に支持されている。
【００５３】
遊技機主部１２は、本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側（開閉基端側）とし右側を回動先端側（開閉先端側）として本体枠１３が前方へ回動可能とされている。
【００５４】
本体枠１３には、図２に示すように、前扉枠１４が回動可能に支持されており、正面視で左側を回動基端側（開閉基端側）とし右側を回動先端側（開閉先端側）として前方へ回動可能（開閉可能）とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【００５５】
次に、前扉枠１４について説明する。なお、以下の説明では、図１〜図３を参照するとともに、前扉枠１４の背面の構成については図６を参照する。図６は、前扉枠１４の背面図である。
【００５６】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。
【００５７】
また、左右の賞球ランプ部２５に近接した位置には、遊技状態に応じた効果音などが出力されるスピーカ部２６が設けられている。スピーカ部２６の裏面には、図２に示すように、スピーカ２８が設けられている。スピーカ２８は、その前面をスピーカ部２６の裏面に向けて設置されており、スピーカ２８からの音は、スピーカ部２６を通じてパチンコ機１０前方に向けて出力される。
【００５８】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００５９】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００６０】
前扉枠１４の背面には、図２及び図６に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００６１】
前扉枠１４の背面における回動基端側（図６の右側）には、その上端部及び下端部に突起軸６１，６２が設けられている。これら突起軸６１，６２は本体枠１３に対する組付機構を構成する。また、前扉枠１４の背面における回動先端側（図６の左側）には、図２に示すように、後方に延びる鉤金具６３が上下方向に複数並設されている。これら鉤金具６３は本体枠１３に対する施錠機構を構成する。
【００６２】
次に、本体枠１３について詳細に説明する。図７は本体枠１３の正面図である。
【００６３】
本体枠１３は、外形が外枠１１とほぼ同一形状をなす樹脂ベース７１を主体に構成されている。樹脂ベース７１の前面における回動基端側（図７の左側）には、その上端部及び下端部に軸用金具７２，７３が取り付けられている。上側軸用金具７２が外枠１１の上側支持用金具１７に下方から支持され、下側軸用金具７３が外枠１１の下側支持用金具１８に下方から支持されていることにより、外枠１１に対して本体枠１３が回動可能に支持されている。なお、本パチンコ機１０では、上側軸用金具７２に形成された突起が上側支持用金具１７に形成された軸孔に挿入され、さらに下側軸用金具７３に形成された軸孔に下側支持用金具１８に形成された突起が挿入されているが、これらの突起と軸孔とを支持用金具１７，１８と軸用金具７２，７３とのいずれに設けるかは任意である。
【００６４】
また、本体枠１３は、上側軸用金具７２の下方に支持用金具７７を備えている。そして、当該支持用金具７７と上記下側軸用金具７３とに対して、前扉枠１４の突起軸６１，６２が挿入されていることにより、本体枠１３に対して前扉枠１４が回動可能に支持されている。
【００６５】
樹脂ベース７１の前面における回動先端側（図７の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置１３１が本体枠１３の背面側に隠れて配置される構成となっている。したがって、鉤金具６３が挿入孔７４を介して施錠装置１３１に係止されることによって、前扉枠１４が本体枠１３に対して開放不能に施錠される。また、施錠装置１３１には、図３に示すように、後方へ延びる鉤金具１３７が設けられているとともに、当該鉤金具１３７の係止部１３８が図２に示すように外枠１１の右枠部１１ｃにおける内側に設けられている。したがって、鉤金具１３７が係止部１３８に係止されることによって、本体枠１３（又は遊技機主部１２）が外枠１１に対して開放不能に施錠される。
【００６６】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。また、シリンダ錠７５の鍵穴に差し込んだキーを左に回すと外枠１１に対する本体枠１３の施錠が解かれるようになっている。
【００６７】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００６８】
ここで、遊技盤８１の構成を図８に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００６９】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００７０】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００７１】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００７２】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００７３】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００７４】
遊技球発射機構１１０は、図７に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００７５】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００７６】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００７７】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００７８】
次に、本体枠１３の背面構成について説明する。図９は本体枠１３の背面図である。
【００７９】
樹脂ベース７１の背面における回動基端側（図９の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００８０】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図１０は遊技盤８１を後方より見た斜視図、図１１は遊技盤８１から主制御装置ユニット１６０を取り外した状態を示す背面図である。
【００８１】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置９１を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００８２】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００８３】
遊技盤８１の背面には、図１１に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【００８４】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【００８５】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【００８６】
遊技盤８１の背面には、集合板ユニット１５０を後側から覆うようにして主制御装置ユニット１６０が搭載されている。主制御装置ユニット１６０の構成について図１２を用いて説明する。図１２は主制御装置ユニット１６０の構成を示す斜視図である。
【００８７】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００８８】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００８９】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００９０】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【００９１】
次に、裏パックユニット１５について説明する。図１３は裏パックユニット１５の正面図、図１４は裏パックユニット１５の分解斜視図である。
【００９２】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【００９３】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【００９４】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００９５】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【００９６】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【００９７】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【００９８】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【００９９】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１００】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１０１】
次に、外枠１１に設けられたスピーカユニット２５０について、図１，図５，図１５〜１９を用いて詳細に説明する。図１５は外枠１１の分解斜視図、図１６はスピーカユニット２５０の斜視図、図１７はスピーカユニット２５０の分解斜視図、図１８はスピーカユニット２５０周辺の縦断面図、図１９はスピーカユニット２５０周辺の横断面図である。
【０１０２】
図１に示すように、外枠１１の下枠部１１ａと遊技機主部１２の下端部との間には所定の領域が確保されており、当該領域には幕板１９が設けられている。つまり、外枠１１の下枠部１１ａと遊技機主部１２の下端部との間には幕板領域が設けられている。幕板１９は着色された不透明な樹脂により薄板状に形成されており、図示は省略するが、幕板１９の前面にはパチンコ機１０のメーカ名が記されている。なお、幕板１９の前面に、パチンコ機１０の機種名を記してもよく、これらメーカ名や機種名を記さなくてもよい。
【０１０３】
幕板領域における幕板１９の後方に、図５及び図１５に示すように、全体として箱状をなすスピーカユニット２５０が設けられている。ここで、外枠１１における下枠部１１ａと左枠部１１ｂとの連結部分には、上記のとおり下側支持用金具１８が固定されている。詳細には、下枠部１１ａと左枠部１１ｂとの連結部分の内側には土台２０が設けられており、この土台２０上に下側支持用金具１８が固定されている。当該構成において、スピーカユニット２５０は、土台２０及び下側支持用金具１８に対して前後方向及び上下方向に重ならないようにして、下枠部１１ａ上に設けられている。なお、幕板１９は土台２０及びスピーカユニット２５０の両方の前方に位置しており、土台２０及びスピーカユニット２５０の両方にネジ止めされている。
【０１０４】
スピーカユニット２５０は、図１６及び図１７に示すように、スピーカ筐体２５１と、スピーカ２５２とを備えている。スピーカ筐体２５１は、横長の箱状をなしており、図１５に示すように、その左右方向寸法Ｌ１は土台２０の内側端面から下枠部１１ａにおける土台２０側とは反対側の端部までの距離Ｌ２と同一又はそれよりも若干小さくなっている。
【０１０５】
スピーカ筐体２５１は、図１７に示すように、上方に向けて全体が開放されたベース体２５３と、当該ベース体２５３の上面開放部の全体を塞ぐ板状の上蓋体２５４とを備えている。これらベース体２５３及び上蓋体２５４は、合成樹脂により形成されている。なお、ベース体２５３及び上蓋体２５４を、ポリカーボネートやアクリル樹脂などといった透明性を有する合成樹脂により形成してもよい。
【０１０６】
ベース体２５３にはその内側周縁部に複数のボス２５５が一体形成されているとともに、上蓋体２５４には上記各ボス２５５に対応させて上下方向に貫通した貫通孔２５６が設けられている。そして、各ボス２５５と各貫通孔２５６とが連通するようにベース体２５３上に上蓋体２５４が載せられ、それら連通されたボス２５５及び貫通孔２５６に対して上蓋体２５４の上方からネジ２５７が螺着されていることにより、ベース体２５３に対して上蓋体２５４が固定されている。つまり、上蓋体２５４はベース体２５３に対して上方から固定されているとともに、その固定は着脱自在な固定具を用いて行われている。この場合、ベース体２５３の上端面の略全体に対して上蓋体２５４の下面が当接している。また、図１８に示すように、貫通孔２５６の上端の周縁部が上蓋体２５４の上面よりも下方に位置するように形成されており、ネジ２５７の頭部２５７ａの上端は上蓋体２５４の上面と同じ位置又はそれよりも下方に位置している。
【０１０７】
スピーカ筐体２５１には、図１７に示すように、遊技機主部１２の回動先端側に相当する端部に、スピーカ収容領域２６１が形成されている。このスピーカ収容領域２６１は、スピーカ筐体２５１における他の領域に比して後方に膨出しており、前後方向寸法が大きくなっている。スピーカ収容領域２６１を形成する壁部の前後方向寸法Ｌ３は、図１５に示すように、外枠１１の下枠部１１ａの前後方向寸法Ｌ４と略同一となっている。
【０１０８】
スピーカ収容領域２６１には、図１７に示すように、スピーカ２５２が収容されている。スピーカ２５２は、コーン形状をなし且つ振動板を振動させることにより音を出力する周知のスピーカ装置であり、その前面の直径が高さ寸法よりも大きいものである。この場合、当該スピーカ２５２は、遊技機主部１２における前扉枠１４のスピーカ部２６に設けられたスピーカ２５２と同一のものとなっている。また、スピーカ２５２の背面側には複数の通過孔２５２ａが形成されており、振動板が振動した場合にはスピーカ２５２の前面側及び背面側の両方から音が出力される。
【０１０９】
スピーカ２５２は、スピーカ収容領域２６１に対して下向きに配置され、図１８に示すように、スピーカ収容領域２６１の底板部２６２にネジ２６３により固定されている。この場合、底板部２６２には、上下方向に貫通し且つスピーカ２５２の前面よりも若干小さい直径を有する貫通孔２６４が形成されている。スピーカ２５２はその前面が貫通孔２６４の真上に位置し、さらにスピーカ２５２の前面周縁部の全体が底板部２６２の上面における貫通孔２６４の周縁部に密接状となっている。上記のようにスピーカ２５２が設置されていることにより、スピーカ２５２の前面側から出力された音は、図１８に示すように、貫通孔２６４を通じてスピーカユニット２５０の下方に向けて伝搬する。
【０１１０】
スピーカ２５２の背面側から出力された音は、スピーカ筐体２５１内を伝搬する。この場合、スピーカ筐体２５１はエンクロージャとしての機能を有しているとともに、図１９に示すように、ベース体２５３の前板部２６５におけるスピーカ収容領域２６１側とは反対側の端部にはバスレフポートとしての音出口２６６が形成されている。これにより、スピーカ２５２の背面側から出力された音は、スピーカ筐体２５１の内部領域及び音出口２６６を通じてスピーカユニット２５０の前方に向けて伝搬する。ちなみに、音出口２６６は、前板部２６５に固定された筒体２６７により形成されている。
【０１１１】
スピーカ２５２に動作電力を供給するための電気配線２５２ｂは、スピーカ収容領域２６１における内側の側板部２６８からスピーカ筐体２５１の外方に延びている。詳細には、ベース体２５３の側板部２６８には図１７に示すようにその上端から下方に凹ませて凹部２６９が形成されており、凹部２６９は電気配線２５２ｂの厚み分の大きさを有している。そして、この凹部２６９に電気配線２５２ｂを通した状態でベース体２５３に対して上蓋体２５４が固定されている。
【０１１２】
以上説明したスピーカユニット２５０は、外枠１１の下枠部１１ａに固定されている。詳細には、スピーカ筐体２５１の底板部２６２がその内側から下枠部１１ａに対してネジ止めされている（図１８参照）。なお、スピーカ筐体２５１の底板部２６２の外側周縁部にネジ止め用のフランジ部を形成し、当該フランジ部と下枠部１１ａとをネジ止めする構成としてもよい。この場合、ベース体２５３からの上蓋体２５４の離脱を要することなく、外枠１１に対してスピーカユニット２５０を着脱することができる。
【０１１３】
スピーカユニット２５０を下枠部１１ａに固定した状態では、スピーカユニット２５０の前縁と下枠部１１ａの前縁とが同じ位置にあり、スピーカユニット２５０におけるスピーカ収容領域２６１の後縁と下枠部１１ａの後縁とが同じ位置にある。なお、スピーカユニット２５０の前後方向寸法を幕板１９の厚み寸法分小さくし、幕板１９が下枠部１１ａよりもパチンコ機１０前方に突出しないようにしてもよい。
【０１１４】
また、スピーカユニット２５０の音出口２６６が形成された側の側方端面は土台２０の内側端面に当接しており、スピーカユニット２５０におけるスピーカ収容領域２６１の外側の側方端面が外枠１１の右枠部１１ｃの内側板面に当接している。このように土台２０の内側端面及び右枠部１１ｃの内側板面に当接させることで、左右方向の位置決めが行われる。ちなみに、上記のようにスピーカユニット２５０が設置されていることにより、スピーカ２５２は下枠部１１ａ上において遊技機主部１２の回動先端部にあり、音出口２６６は下枠部１１ａにおいて遊技機主部１２の回動基端部にある。
【０１１５】
スピーカ筐体２５１には、外枠１１の右枠部１１ｃに対して前側から当接する延長領域２７０が形成されている。延長領域２７０は、スピーカ収容領域２６１よりも外枠１１の右枠部１１ｃ側に当該右枠部１１ｃの厚み分延長させて形成されており、さらに前後方向寸法は下枠部１１ａの右枠部１１ｃよりも前方に延出した分となっている。このように延長領域２７０を右枠部１１ｃの前面に当接させることで、前後方向の位置決めが行われる。
【０１１６】
スピーカユニット２５０が下枠部１１ａに固定されていることにより、幕板領域から音の出力が行われる。ここで、上記のとおりスピーカ２５２の前面側から出力された音はスピーカユニット２５０の下方に向けて伝搬することとなるが、下枠部１１ａにはこの音をパチンコ機１０前方に導くための音導出部２７１が形成されている。
【０１１７】
詳細には、音導出部２７１は、図１８に示すように、下枠部１１ａの上面、底面及び前面にて開放され且つ左右側方及び後方が下枠部１１ａ自身によって閉塞された形状をなしている。この場合、音導出部２７１における下方に開放された部位（下面開放部）は、遊技ホール（遊技場）のパチンコ機１０の設置台Ｓによって塞がれている。つまり、音導出部２７１は、パチンコ機１０の遊技ホールへの設置状態において下枠部１１ａの上面及び前面にて開放されている。また、音導出部２７１の上面開放部２７２は円形をなしており、その直径はスピーカ筐体２５１の貫通孔２６４の直径と同一となっている。そして、音導出部２７１の上面開放部２７２は貫通孔２６４と上下に重なっている。上記構成であることにより、スピーカ２５２の前面から出力された音は、貫通孔２６４及び音導出部２７１を通じてパチンコ機１０前方に向けて伝搬する。
【０１１８】
ちなみに、上記のとおりスピーカユニット２５０は下枠部１１ａに対して設置する際には、左右方向及び前後方向の両方が位置決めされる。そして、このように位置決め構造が設けられていることにより、スピーカユニット２５０を下枠部１１ａに設置した際には自ずと、スピーカ筐体２５１の貫通孔２６４と音導出部２７１の上面開放部２７２とが上下に重なる。よって、スピーカユニット２５０を設置する上での作業性の向上が図られている。
【０１１９】
スピーカ筐体２５１の外方に引き出されたスピーカ２５２の電気配線２５２ｂは、音声ランプ制御装置１４３に接続されている。そして、当該電気配線２５２ｂを通じて音声ランプ制御装置１４３から動作電力を受けることによりスピーカ２５２が動作し音が出力される。スピーカ２５２の前面側から出力された音は、上記のとおり音導出部２７１を介してパチンコ機１０前方に向けて伝搬する。一方、スピーカ２５２の背面側から出力された音は、上記のとおりスピーカ筐体２５１の内部領域及び音出口２６６を通じてパチンコ機１０前方に向けて伝搬する。なお、スピーカユニット２５０の前方には、幕板１９が設けられているが、当該幕板１９における音出口２６６の前方に位置する部位にはスピーカ孔１９ａが形成されているため、音出口２６６を通じて出力された音が幕板１９に遮断されてしまうことはない。
【０１２０】
ここで、スピーカ２５２から音が出力されるときには、振動板を境界としてスピーカ２５２の前面側及び背面側において逆の作用が行われる。具体的には、例えば振動板がスピーカ２５２の前面側に動くときには、スピーカ２５２の前面側で空気が押されて「密」となる一方で、背面側は空気の薄い「疎」となり、振動板がスピーカ２５２の背面側に動くときには、スピーカ２５２の背面側では空気が押されて「密」となる一方で、前面側は空気の薄い「疎」となる。すなわち、スピーカ２５２の前面側及び背面側には、逆位相の関係となる音波が出力されることとなる。この場合に、スピーカ２５２の前面側から出力された音波と、背面側から出力された逆位相の音波とが干渉すると、互いに打ち消しあって遊技者に伝わる音が不鮮明になることが知られている。特に、波長の長い低音域の音に対する影響が顕著で、迫力や臨場感の低下を招く要因となる。
【０１２１】
これに対して、上記のとおりスピーカ２５２の前面周縁部は底板部２６２に対して密接状となっているため、当該底板部２６２がバッフル板として機能し、スピーカ２５２の前面側と背面側とは分離されている。よって、スピーカ２５２の前面側から出力された音波と背面側から出力された音波との干渉が抑制され、スピーカ２５２からの音の出力が良好に行われるようになっている。
【０１２２】
また、低音域の音を増強する上では、スピーカ２５２から音出口２６６までの距離を長く確保することが好ましい。これに対して、上記のようにスピーカ２５２は下枠部１１ａ上において遊技機主部１２の回動先端部にあり、音出口２６６は下枠部１１ａ上において遊技機主部１２の回動基端部にある。よって、スピーカ２５２から音出口２６６までの距離が長く確保され、低音域の音を増強することができる。
【０１２３】
また、音導出部２７１は下枠部１１ａにおいて遊技機主部１２の回動先端側の端部に位置しているとともに、音出口２６６は幕板領域において遊技機主部１２の回動基端側の端部に位置している。つまり、スピーカ２５２の前面側及び背面側から出力された音は、パチンコ機１０左右方向の端部からパチンコ機１０前方に向けて伝搬される。パチンコ機１０の下皿３４の下方には遊技球を収容するための収容箱が配置されるが、上記のようにパチンコ機１０左右方向の端部からパチンコ機１０前方に向けて音を伝搬させるようにすることで、スピーカ２５２から出力された音が収容箱にて遮断されてしまうことを抑制することができる。
【０１２４】
スピーカユニット２５０は幕板領域に設けられているため、遊技機主部１２を外枠１１に対して閉鎖した状態では、スピーカユニット２５０の上方に遊技機主部１２が位置することとなる。この場合、スピーカユニット２５０は遊技機主部１２の重量を受ける。かかる構成について以下に説明する。
【０１２５】
図１７等に示すように、スピーカ筐体２５１の上蓋体２５４にはその上面に、複数の金属板（支持板）２７５が設けられている。具体的には、２枚の金属板２７５が設けられている。これら金属板２７５は同一の材料により形成されているとともに同一のサイズ及び形状をしており、上蓋体２５４の前寄りの位置に設けられている。また、一方の金属板２７５は延長領域２７０の上部からスピーカ収容領域２６１の上部に掛けて設けられており、他方の金属板２７５は音出口２６６寄りの上部に設けられている。
【０１２６】
金属板２７５は、上蓋体２５４に対して上方からネジ（支持板用固定具）２７６が螺着されて固定されている。この場合、図１８に示すように、ネジ２７６の頭部はその上端が金属板２７５の上面と同じ高さ又はそれよりも下方にあり、ネジ２７６は金属板２７５よりも上方に突出していない。金属板２７５の上面は当該金属板２７５の厚み分、上蓋体２５４の上面よりも上方にある。
【０１２７】
遊技機主部１２を外枠１１に対して閉鎖した状態では、図１８に示すように、遊技機主部１２の下端部が各金属板２７５上に載る。これにより、遊技機主部１２の重量負荷の一部が各金属板２７５に掛かり、この金属板２７５に掛かった重量負荷はスピーカユニット２５０にて受けられる。このように、遊技機主部１２の重量負荷の一部をスピーカユニット２５０にて受けるようにすることで、遊技機主部１２が閉鎖状態である場合には、スピーカユニット２５０のスピーカ筐体２５１における上蓋体２５４がベース体２５３に向けて押圧され、これら上蓋体２５４とベース体２５３とが密接する。
【０１２８】
上記のとおりスピーカ筐体２５１の内部領域はエンクロージャとしての機能を有する。そして、このエンクロージャとしての機能を効果的に発揮させるためには、スピーカ筐体２５１の密閉性が高いほど好ましい。かかる事情において、上記のように上蓋体２５４とベース体２５３とが密接することでスピーカ筐体２５１の密閉性が高められ、当該スピーカ筐体２５１においてエンクロージャとしての機能が効果的に発揮される。これにより、スピーカ２５２の背面側から出力された音の音質が高められる。
【０１２９】
ちなみに、上記のとおり外枠１１には下側支持用金具１８及び土台２０が設けられており、これら下側支持用金具１８及び土台２０においても遊技機主部１２の重量負荷が受けられるが、スピーカユニット２５０は、図１５等に示すように、下側支持用金具１８及び土台２０に対して前後方向及び上下方向に重なっていない。したがって、下側支持用金具１８及び土台２０にて受けられた重量負荷はスピーカユニット２５０に掛からないようになっている。下側支持用金具１８は遊技機主部１２を回動可能に支持する機能を有しており、遊技機主部１２を外枠１１に対して開放する際にはその重量負荷の大部分が下側支持用金具１８に掛かることとなる。この場合に、上記のように下側支持用金具１８及び土台２０にて受けられた重量負荷がスピーカユニット２５０に掛からないようにすることで、遊技機主部１２を外枠１１に対して開放した際にスピーカユニット２５０に大きな重量負荷が掛かってしまい当該スピーカユニット２５０が破損してしまうことが防止される。
【０１３０】
また、金属板２７５はその前側端部に、パチンコ機１０前方に向けて下り傾斜した傾斜部２７７が形成されている。これにより、遊技機主部１２を開放状態から閉鎖状態に移動させる場合に、遊技機主部１２の下端部は傾斜部２７７により金属板２７５上にガイドされ、当該金属板２７５上に遊技機主部１２が載り上げ易くなっている。
【０１３１】
次に、スピーカ２５２のメンテナンス作業について説明する。
【０１３２】
スピーカ２５２のメンテナンス作業を行う場合には、先ず遊技機主部１２を外枠１１に対して開放する。この場合、施錠装置１３１による外枠１１に対する遊技機主部１２の施錠状態を解除する必要がある。遊技機主部１２を開放状態とすることで、スピーカユニット２５０の上面全体が露出する。
【０１３３】
その後、スピーカ筐体２５１のベース体２５３と上蓋体２５４との固定を解除する。具体的には、上蓋体２５４の上方からネジ２５７の離脱操作を行う。かかる離脱操作を全てのネジ２５７に対して行うことで、ベース体２５３から上蓋体２５４を取り外すことができる。そして、上蓋体２５４を取り外すことで、スピーカ筐体２５１の内部が露出し、当該スピーカ筐体２５１の内部に収容されたスピーカ２５２が露出する。これにより、スピーカ２５２の背面側の掃除などを行うことができる。また、スピーカ２５２を取り外す必要がある場合には、ベース体２５３の底板部２６２の上方からネジ２６３の離脱操作を行う。かかる離脱操作を全てのネジ２６３に対して行うことで、ベース体２５３からスピーカ２５２を取り外すことができる。これにより、スピーカ２５２の前面側の掃除やスピーカ２５２の交換などを行うことができる。
【０１３４】
ここで、上記のとおりスピーカ２５２はスピーカ筐体２５１内において遊技機主部１２の回動先端側の端部に設置されている。したがって、メンテナンスの作業者にとってスピーカ２５２は近い位置にあり、スピーカ２５２の掃除や交換を行う上でその作業を比較的容易に行うことができる。
【０１３５】
スピーカ２５２の掃除や交換などが終了した後は、上記の作業とは逆の作業を行う。つまり、ベース体２５３上に上蓋体２５４を載せ、ネジ２５７によりそれらベース体２５３と上蓋体２５４とを固定する。その後、遊技機主部１２を外枠１１に対して閉鎖する。これにより、スピーカ２５２のメンテナンス作業が終了する。
【０１３６】
次に、パチンコ機１０の電気的構成について、図２０のブロック図に基づいて説明する。図２０では、電力の供給ラインを二重線矢印で示し、信号ラインを実線矢印で示す。
【０１３７】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０１３８】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。
【０１３９】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１４０】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０１４１】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１４２】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト以上の場合には、主制御回路３０２に対し停電信号を出力する。主制御回路３０２では、この停電信号の入力を確認することにより、その確認結果に基づいて停電時処理（電断時処理）を実行する。
【０１４３】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１４４】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１４５】
払出制御基板３２２のＣＰＵ３３１には、入出力ポートが設けられている。ＣＰＵ３３１の入力側には、主制御回路３０２と、電源及び発射制御基板３２１と、裏パック基板２２９とが接続されている。また、ＣＰＵ３３１の出力側には、主制御回路３０２と裏パック基板２２９とが接続されている。
【０１４６】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。
【０１４７】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０１４８】
また、電源及び発射制御基板３２１には、データ記憶保持用コンデンサ３２１ｃが搭載されている。データ記憶保持用コンデンサ３２１ｃは、電源部３２１ａが接続されており、パチンコ機１０の電源がＯＮ状態の場合には蓄電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。ちなみに、データ記憶保持用コンデンサ３２１ｃの容量は比較的大きく確保されており、電源遮断前にＲＡＭ３１３に記憶されていた情報は所定の期間内（例えば、１日や２日）保持される。
【０１４９】
なお、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０１５０】
音声ランプ制御基板３２４は、スピーカ２８，２５２、各種ランプ部２３〜２５及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１５１】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、スピーカ２８，２５２、各種ランプ部２３〜２５及び表示制御装置３２５を制御する。表示制御装置３２５は、音声ランプ制御基板３２４から入力する表示コマンドに基づいて図柄表示装置９１を制御する。
【０１５２】
以上詳述した本実施の形態によれば、以下の優れた効果を奏する。
【０１５３】
外枠１１の下枠部１１ａと遊技機主部１２との間の幕板領域を有効活用してスピーカユニット２５０が設けられている。また、スピーカ２５２はスピーカ筐体２５１により形成された収容領域内に収容されているため、スピーカ２５２の破損などを防止することができる。当該構成において、スピーカ筐体２５１の上蓋体２５４をベース体２５３から離脱させることでスピーカ２５２が露出することとなるため、スピーカ２５２のメンテナンスを比較的容易に行うことができる。
【０１５４】
また、遊技機主部１２を外枠１１に対して閉鎖した状態では、上蓋体２５４が遊技機主部１２の重量の一部を下方から受けるようにした。これにより、遊技機主部１２を閉鎖した状態では当該遊技機主部１２の重量により上蓋体２５４が下方に押圧されるため、上蓋体２５４とベース体２５３とが密接することとなりスピーカ筐体２５１の密閉性が高められる。よって、スピーカ筐体２５１のエンクロージャとしての機能が高められ、スピーカユニット２５０による音の出力を良好に行うことができる。
【０１５５】
また、上蓋体２５４の上面に金属板２７５を設け、遊技機主部１２を閉鎖した状態では上蓋体２５４と遊技機主部１２の下端部との間に金属板２７５が介在するようにした。これにより、合成樹脂製の上蓋体２５４が遊技機主部１２の重量を直接受けるのではなく間接的に受けることとなり、遊技機主部１２の重量を受ける上で上蓋体２５４において破損が発生してしまうことが抑制される。
【０１５６】
また、スピーカ２５２を下向きに設置した。ここで、幕板領域において上下方向寸法は下枠部１１ａと遊技機主部１２とにより規定されているが、前後方向寸法はこれらにより規定されていない。また、一般的に、幕板領域の上下方向寸法に比べ下枠部１１ａの前後方向寸法が大きい。このような事情において上記のようにスピーカ２５２を下向きに設置することで、スピーカ２５２をパチンコ機１０前方に向けて設置する構成に比して、スピーカ２５２の口径の大型化を図ることができ、スピーカ２５２から出力される音の高音質化が図られる。また、上記のようにスピーカ２５２を下向きに設置した構成において、下枠部１１ａには音導出部２７１が形成されているため、スピーカ２５２の前面側から出力された音は音導出部２７１に導出されてパチンコ機１０前方に向けて伝搬することとなり、その音を遊技者に視聴させることができる。なお、スピーカ２５２を下向きに設置することでスピーカ２５２の前面側に埃などが溜まってしまうことが抑制される。
【０１５７】
音導出部２７１を、下枠部１１ａの上面におけるスピーカ２５２の下方位置から下枠部１１ａの前面に連通し且つ少なくとも左右及び後側が閉塞された形状とした。これにより、スピーカ２５２の前面側から出力された音をパチンコ機１０前方に向けて伝搬させることができるとともに、音導出部２７１の少なくとも左右及び後側が閉塞されていることで当該音導出部２７１における音の漏れが低減されスピーカ２５２の前面側から出力された音を効率良くパチンコ機１０前方に導くことができる。
【０１５８】
また、音導出部２７１を下枠部１１ａの底面において下方に向けて開放されるように形成した。つまり、音導出部２７１は下枠部１１ａにおいて上面、前面及び底面にて開放されるように形成されており、上面及び前面のみ開放されるように形成する構成に比して、形成作業の容易化が図られる。また、当該構成において、下側開放部は遊技ホールにおけるパチンコ機１０の設置台Ｓにより閉塞されるため、スピーカ２５２の前面側から出力された音を効率良くパチンコ機１０前方に導くことができる。
【０１５９】
スピーカ筐体２５１の前板部２６５に音出口２６６を形成し、スピーカ２５２の背面側から出力された音もスピーカ筐体２５１の内部領域及び音出口２６６を通じてパチンコ機１０前方に向けて伝搬させるようにした。そして、このスピーカ２５２の背面側から出力された音はスピーカ筐体２５１の内部領域を伝搬するため、音出口２６６から低音域の量感を増した音を出力することが可能となる。特に、スピーカ２５２は下枠部１１ａ上において遊技機主部１２の回動先端側にあり、音出口２６６は下枠部１１ａ上において遊技機主部１２の回動基端側にある。よって、スピーカ２５２から音出口２６６までの距離が長く確保され、低音域の音を増強することができる。
【０１６０】
スピーカユニット２５０のスピーカ２５２を遊技機主部１２の前枠部１４に搭載したスピーカ２５２と共通のスピーカとした。これにより、複数のスピーカ２８，２５２を備えた構成においてスピーカの共通化が図られ、部材管理を好適に行うことができる。
【０１６１】
なお、上述した実施の形態の記載内容に限定されず、例えば次のように実施してもよい。
【０１６２】
（１）上記実施の形態におけるスピーカユニットに関する変形例を、図２１，２２に示す。
【０１６３】
（１−１）図２１に示す変形例では、スピーカユニット３７０は、上記実施の形態におけるスピーカユニット２５０と異なり、スピーカ筐体３７１の内部領域が仕切壁３７２により左右に区画されている。そして、右側領域３７３及び左側領域３７４のそれぞれに１つずつスピーカ３７５，３７６が収容されている。この場合、仕切壁３７２は左側（すなわち、遊技機主部１２の回動基端側）に偏倚させた位置に設けられており、右側領域３７３は左側領域３７４よりも左右方向寸法が大きくなっている。
【０１６４】
右側領域３７３に収容されたスピーカ３７５（以下、第１スピーカ３７５ともいう）は、上記実施の形態におけるスピーカ２５２と同様に下向きに設置されている。この場合、第１スピーカ３７５は右側端部（すなわち、遊技機主部１２の回動先端側の端部）に設置されており、スピーカ筐体３７１の底板部３７７における第１スピーカ３７５の下方には上記実施の形態と同様に貫通孔２６４が形成されているとともに、外枠１１の下枠部１１ａにおける貫通孔２６４の下方には上記実施の形態と同様の音導出部２７１が形成されている。また、スピーカ筐体３７１の前板部３７８における左側端部（すなわち、遊技機主部１２の回動基端側の端部）には上記実施の形態と同様の音出口３７９が形成されている。これにより、第１スピーカ３７５の前面側から出力された音は、音導出部２７１を通じてパチンコ機１０前方に向けて伝搬することとなり、第１スピーカ３７５の背面側から出力された音は、音出口３７９を通じてパチンコ機１０前方に向けて伝搬することとなる。
【０１６５】
また、左側領域３７４に収容されたスピーカ３７６（以下、第２スピーカ３７６ともいう）は、前向きに設置されている。この場合、スピーカ筐体３７１の前板部３７８における第２スピーカ３７６の前方箇所には音出口３８０が形成されており、第２スピーカ３７６の前面側から出力された音は音出口３８０を通じてパチンコ機１０前方に向けて伝搬することとなる。但し、左側領域３７４は密閉型となっており、第２スピーカ３７６の背面側から出力された音は左側領域３７４の外部に漏れないようになっている。つまり、右側領域３７３は位相反転型のエンクロージャとしての機能を有しているのに対して、左側領域３７４は密閉型のエンクロージャとしての機能を有している。
【０１６６】
以上のように、スピーカ筐体３７１に右側領域３７３及び左側領域３７４を設けるとともに、各領域３７３，３７４にスピーカ３７５，３７６を設置したことにより、右側領域３７３及び第１スピーカ３７５により低音域の音の出力を実現し、左側領域３７４及び第２スピーカ３７６により中高音域の音の出力を実現することが可能となる。特に、上記実施の形態と同様に、第１スピーカ３７５を下向きに設置するようにしたため、当該第１スピーカ３７５の口径の大型化を図ることができ、低音域の音を大音量で出力することができる。
【０１６７】
また、本構成においても上記実施の形態と同様に、スピーカ筐体３７１はベース体２５３と上蓋体２５４とを備え、遊技機主部１２を外枠１１に閉鎖した状態では遊技機主部１２によって上蓋体２５４が上方から押圧され、ベース体２５３と上蓋体２５４とが密接することとなる。よって、ベース体２５３と上蓋体２５４との密閉性、すなわち、右側領域３７３及び左側領域３７４の密閉性が高められている。
【０１６８】
（１−２）図２２に示す変形例では、スピーカユニット２５０においてスピーカ２５２は前向きに設置されている。詳細には、スピーカ２５２はスピーカ筐体２５１の前板部２６５側を向くようにして設置されているとともに、ネジ２６３によって前板部２６５に対して固定されている。そして、前板部２６５におけるスピーカ２５２の前方箇所には前後方向に貫通する音出口４０１が形成されており、スピーカ２５２の前面側から出力された音はこの音出口４０１を通じてパチンコ機１０前方に向けて伝搬することとなる。なお、幕板１９における音出口４０１の前方箇所にはスピーカ孔が形成されており、スピーカ２５２の前面側から出力された音が幕板１９によって遮断されてしまわないようになっている。
【０１６９】
本構成であっても、上記実施の形態と同様に、スピーカ筐体２５１の上蓋体２５４には金属板２７５が設けられており、遊技機主部１２を外枠１１に対して閉鎖した状態では遊技機主部１２の重量が金属板２７５を介して上蓋体２５４に掛かることとなる。これにより、上蓋体２５４に対して遊技機主部１２によって下方に押圧する力が加わり、上蓋体２５４とベース体２５３とが密接する。これにより、スピーカ筐体２５１の密閉性が高められ、スピーカ２５２から出力された音の漏れが防止される。
【０１７０】
（２）スピーカ筐体２５１の構成を上記実施の形態とは異なるものとしてもよい。例えば、スピーカ筐体２５１のベース体２５３を下方に開放された箱状とし、上蓋体２５４に代えて下蓋体によりベース体２５３の下側開放部を塞ぐ構成としてもよい。より詳細には、ベース体２５３における下側開放部の下端面略全体に対して板状の下蓋体の上面を当接させることで、下蓋体によりベース体２５３の下側開放部を塞ぐようにする。この場合、遊技機主部１２を外枠１１に対して閉鎖した状態ではベース体２５３上に遊技機主部１２が直接的又は間接的に載り上げるようにすることで、ベース体２５３と下蓋体とが密接され、スピーカ筐体２５１の密閉性が高められる。
【０１７１】
また、スピーカ筐体２５１が、下方に開放された箱状のベース体を備えるものの、その下側開放部を塞ぐ蓋体を備えない構成としてもよい。当該構成においては、例えば外枠１１の下枠部１１ａ上にスピーカ２５２を設置するとともに、当該スピーカ２５２を上方から覆うようにして下枠部１１ａ上にベース体を設置する。そして、ベース体を下枠部１１ａに固定する。この場合、遊技機主部１２を外枠１１に対して閉鎖した状態では遊技機主部１２が直接的又は間接的にベース体上に載り上げるようにすることで、ベース体と下枠部１１ａとが密接され、スピーカ筐体２５１の密閉性が高められる。
【０１７２】
（３）スピーカユニット２５０において、スピーカ２５２から音出口２６６までの音の伝搬距離を上記実施の形態よりも長くすべく、スピーカ筐体２５１内においてスピーカ２５２と音出口２６６との間に、パチンコ機１０の前後方向や左右方向に迂回させて音通路を形成してもよい。この場合、スピーカ２５２の背面側から出力された音のスピーカ筐体２５１内における伝搬距離が長くなり、低音の増強効果が上記実施の形態よりも高められる。また、この音通路を下流に向けて断面積が連続的又は断続的に増加する形状としてもよく、この場合、低音の増強効果がより高められる。
【０１７３】
（４）音導出部２７１を、下枠部１１ａにおいて下方に開放させるのではなく、下枠部１１ａ自身によって下方も閉塞してもよい。この場合、音導出部２７１は、下枠部１１ａにおいて上面及び前面のみで開放され、その他の部分は閉塞されることとなる。本構成によれば、音導出部２７１の形成が上記実施の形態よりも困難なものとなるが、音導出部２７１の下方の閉塞が下枠部１１ａ自身によって行われるため、音導出部２７１の下方が確実に閉塞される。
【０１７４】
（５）音導出部２７１において、スピーカ２５２から音導出部２７１の出口までの音の伝搬距離を上記実施の形態よりも長くすべく、音導出部２７１内においてパチンコ機１０の前後方向や左右方向に迂回させて音通路を形成してもよい。この場合、スピーカ２５２の前面側から出力された音についても、音導出部２７１内における伝搬距離が長くなり、低音の増強効果が高められる。また、この音導出部２７１を下流に向けて断面積が連続的又は断続的に増加する形状としてもよく、この場合、低音の増強効果がより高められる。
【０１７５】
（６）スピーカユニット２５０において、スピーカ収容領域２６１の前後方向寸法を上記実施の形態よりも大きくしてもよい。例えば、スピーカ収容領域２６１を、下枠部１１ａの後側端部よりも後方に延出させてもよい。これにより、上記実施の形態よりも口径の大きなスピーカ２５２を設置することができる。
【０１７６】
（７）上記実施の形態では、スピーカ筐体２５１においてスピーカ収容領域２６１のみが他の領域に比して後方に膨出する構成としたが、これに代えて、スピーカ収容領域２６１よりも左側の領域を上記実施の形態よりも後方に膨出させて、当該領域の後側端面がスピーカ収容領域２６１の後側端面と同一面上に位置するようにしてもよい。
【０１７７】
（８）外枠１１の土台２０を不具備とし、スピーカユニット２５０に下側支持用金具１８を設置してもよい。この場合、遊技機主部１２の開閉に際してスピーカユニット２５０に大きな重量が掛かることとなるが、上記実施の形態よりもスピーカユニット２５０の左右方向寸法を大きくすることができる。
【０１７８】
（９）上記実施の形態では、スピーカユニット２５０の前方に幕板１９を設けたが、当該幕板１９を不具備としてもよい。当該構成においては、前板部２６５の前面にパチンコ機１０のメーカ名や機種名を記してもよい。
【０１７９】
（１０）上記実施の形態において、ベース体２５３の前板部２６５に左右方向に沿って複数の音出口を並設するとともに、１つの音出口を除いて各音出口を閉塞する蓋体を備えた構成としてもよい。この場合、遊技ホールなどにて各音出口のうちいずれの音出口を開放させるかを選択することで、低音域の増強効果を遊技ホールにおいて所望のものとすることができる。
【０１８０】
（１１）スピーカユニット２５０において、スピーカ２５２と音出口２６６との位置関係を左右逆としてもよい。また、スピーカ筐体２５１を形成する材料は合成樹脂に限定されることはなく、木製などであってもよい。また、上蓋体２５４に金属板２７５を設けずに、遊技機主部１２を外枠１１に対して閉鎖した状態では、遊技機主部１２が上蓋体２５４上に直接載る構成としてもよい。
【０１８１】
（１２）上記実施の形態では、スピーカ２５２の前面側から出力された音をパチンコ機１０前方に導くように、下枠部１１ａに音導出部２７１を形成したが、これに代えて、スピーカ２５２の前面側から出力された音をパチンコ機１０後方又は側方に導くように音導出部２７１を形成してもよい。この場合、スピーカ２５２の前面側から出力された音は遊技者に聞き取らせることができないが、スピーカ２５２の背面側から出力された音は依然として遊技者に聞き取らせることができる。
【０１８２】
（１３）上記実施の形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０１８３】
（１４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。また、弾球式でない遊技機、例えば、パチンコ機とスロットマシンとが融合された遊技機にも、本発明を適用できる。
【符号の説明】
【０１８４】
１０…遊技機としてのパチンコ機、１１…外枠、１１ａ…下枠部、１２…遊技機本体としての遊技機主部、１８…下側支持用金具、２８…スピーカ、２５０…スピーカユニット、２５１…スピーカ筐体、２５２…スピーカ、２５３…ベース体、２５４…上蓋体、２６２…底板部、２６４…貫通孔、２６６…音出口、２７０…位置決め構造を構成する延長領域、２７１…音導出部、２７５…金属板、Ｓ…設置台。
【図１】
0005488670.tif 000002
【図２】
0005488670.tif 000003
【図３】
0005488670.tif 000004
【図４】
0005488670.tif 000005
【図５】
0005488670.tif 000006
【図６】
0005488670.tif 000007
【図７】
0005488670.tif 000008
【図８】
0005488670.tif 000009
【図９】
0005488670.tif 000010
【図１０】
0005488670.tif 000011
【図１１】
0005488670.tif 000012
【図１２】
0005488670.tif 000013
【図１３】
0005488670.tif 000014
【図１４】
0005488670.tif 000015
【図１５】
0005488670.tif 000016
【図１６】
0005488670.tif 000017
【図１７】
0005488670.tif 000018
【図１８】
0005488670.tif 000019
【図１９】
0005488670.tif 000020
【図２０】
0005488670.tif 000021
【図２１】
0005488670.tif 000022
【図２２】
0005488670.tif 000023